【事件の表示】
　特願２００７−　３２０７０「平板表示装置及びその駆動方法」拒絶査定不服審判事件〔平成２０年　１月２４日出願公開、特開２００８−　１５４７１〕について、次のとおり審決する。
【結　論】
　本件審判の請求は、成り立たない。
【理　由】
１．手続の経緯
　この審判事件に関する出願（以下、「本願」という。）は、平成１９年２月１３日（パリ条約による優先権主張　平成１８年７月６日（以下、優先日という。）、大韓民国）にされた特許出願であって、平成２４年４月２７日付けで特許請求の範囲についての補正がなされ、平成２４年５月１７日付け（送達：同年同月２２日）で拒絶査定がなされ、これに対し、同年８月８日に拒絶査定不服審判が請求されると同時に明細書及び特許請求の範囲についての補正がなされたものである。
　その後、当審より平成２５年１１月５日付け（発送：同年同月１２日）で拒絶理由（以下、「当審拒絶理由」という。）を通知したところ、平成２６年２月１２日付けで意見書が提出されるとともに、同日付けで明細書及び特許請求の範囲についての補正がなされたものである。
　
２．当審拒絶理由
　当審拒絶理由は、概略、本願の請求項１−４、６、７、１２、１４、２０−２７に係る発明は、本願優先日前に日本国内または外国において頒布された刊行物である特開２００４−２５２４１９号公報（以下「引用例１」という。）に記載された発明であるから、特許法第２９条第１項第３号の規定により特許を受けることができず、また、本願の請求項１−２７に係る発明は、本願優先日前に日本国内または外国において頒布された刊行物である引用例１に記載された発明に基づいて、その本願優先日前にその発明の属する技術の分野における通常の知識を有する者が容易に発明をすることができたものであるから、特許法第２９条第２項の規定により特許を受けることができない、というものである。
　
３．本願発明
　本願の請求項１ないし２２に係る発明は、平成２６年２月１２日付けの手続補正書によって補正された明細書、特許請求の範囲及び図面の記載からみて、特許請求の範囲の請求項１ないし２２に記載された事項により特定されるものであるところ、その請求項１に係る発明（以下、「本願発明」という。）については、次のとおりのものと認める。
　
「基板と、
前記基板上に位置し、複数個のサブピクセルを含むピクセル部と、
データ信号、予め設定された複数の電圧値から前記データ信号に対応するチャージ値を決定した後、前記チャージ値より小さく、前記複数の電圧値に最も近い第１電圧値から選択された第１チャージ信号、及び前記チャージ値と前記第１電圧値の差に対応する第２電圧値に設定された第２チャージ信号を前記ピクセル部に供給するデータ駆動部と、を含み、
前記第１チャージ信号、前記第２チャージ信号、及び前記データ信号は、前記ピクセル部に順次供給されることを特徴とする平板表示装置。」
　
　ここで、「前記複数の電圧値に最も近い第１電圧値から選択された第１チャージ、」は、「前記複数の電圧値に最も近い第１電圧値から選択された第１チャージ
信号
第１
前記
　
４．引用例１に記載された事項 
（１）引用例１の記載
 　引用例１には、電流駆動回路及びこれを用いた表示装置（発明の名称）に関し、次の事項（ａ）ないし（ｅ）が図面とともに記載されている。 
　
（ａ）請求項１３
「【請求項１３】
  画像情報を信号電流として伝送する信号線と、前記信号電流に比例する駆動電流を電源線から供給する第１の駆動素子とを含む画素回路と、
  前記信号電流を前記信号線に供給する画像信号入力電流源を含むソースドライバ回路とを具備した表示装置において、
  前記信号電流を前記信号線に供給するに先立って、前記信号線をプリチャージするプリチャージ回路を前記ソースドライバ回路に内蔵したことを特徴とする表示装置。」
　
（ｂ）段落００１４
「【００１４】
  本発明では、電流源を有する回路内に、信号を書き込む対象の駆動対象回路の回路構成と同様な回路（プリチャージ回路）を形成する。
  信号書き込み時において定常状態になった時の信号線に加わる電圧をプリチャージ回路において決定する。仮にその電圧をＶｐとすると、この電圧をプリチャージ電圧として信号電流を信号線に供給するに先立って、プリチャージ電圧として電圧Ｖｐを加えるようにする。」
　
（ｃ）段落００３０ないし段落００４１
「【００３０】
  以下、本発明の実施の形態を実施例に基づいて詳細に説明する。
  図１６を用いて、本発明の電流駆動回路の動作原理を説明する。
・・・
【００３２】
  図９を用いて図１６の動作を、プリチャージを行わない場合と比較しながら説明する。
・・・
【００３５】
  プリチャージ時にはスイッチＳＷ１とスイッチＳＷ３とをＯＮし、プリチャージ電圧ＶｐをノードＰに供給する。次いでノードＰがプリチャージ電圧Ｖｐの電位に上昇した時点で、スイッチＳＷ３をＯＦＦに、スイッチＳＷ２をＯＮにして、信号電流Ｉ０をノードＰに供給する。すると、トランジスタＴｒ１は短時間で定常状態に移行する。従って、図９（Ｅ）に示すように、極めて短時間で駆動対象回路１５０は定常状態に達する。」
【００３６】
  このように、信号電流の供給に先立って、ノードＰや信号線４００にプリチャージ電圧Ｖｐを供給するプリチャージ期間を設け、このプリチャージ期間終了後に信号電流Ｉ０を供給するようにすれば、信号電流が小さい場合でも、信号書き込み速度を速くすることができる。
【００３７】
  なお、定常状態になった時のノードＰの電位は、信号電流Ｉ０の大きさや、トランジスタＴｒ１の特性（移動度、しきい値電圧など）やサイズ（ゲート幅Ｗ、ゲート長Ｌなど）に依存する。したがって、前述した個々のパラメータに見合ったプリチャージ電圧Ｖｐを用いてプリチャージすることが望ましい。なぜなら、定常状態になった時のノードＰの電位とプリチャージ電圧Ｖｐとがずれていれば、定常状態になるまでに余分な時間がかかってしまうからである。最も望ましいのは、プリチャージ電圧を定常状態になった時のノードＰの電位と同電位にすることである。その場合は、プリチャージが終了すれば、それと同時に定常状態となるからである。よって、信号電流Ｉ０の大きさが変われば、それに合わせてプリチャージ電圧を最適な値に変えることが望ましい。 
・・・
【００４０】
  なお、図１６や図９に示した図は、本発明の概念を示したものであるため、実際の回路は、この構成に限定されない。
・・・
【００４１】
  なお、図１６や図９では、プリチャージ電圧をノードＰに供給してから、信号電流を供給しているが、これには限定されず、別のプリチャージ手法と組み合わせてもよい。例えば、プリチャージ電圧を供給した後に別のプリチャージを行い、その後、信号電流を供給してもよい。または、複数のプリチャージ電圧を順次供給した後に信号を供給してもよい。」　
　
（ｄ）段落００４２ないし段落００４８
「【実施例１】
【００４２】
  図１７は、本発明の実施例を示す電流駆動回路の回路図である。図１７は、図１６に示したプリチャージ回路５００に関して、具体的な構成の一例を示している。
  前述したように、プリチャージ電圧Ｖｐは定常状態でのノードＰの電位とは等しくない場合もあるが、これに近い電圧に設定することができる。このプリチャージ電圧Ｖｐは信号電流Ｉの大きさによって適切な値を定めることができる。そこで、プリチャージ電圧Ｖｐを信号電流Ｉの大きさに応じて複数設定して選択的にノードＰに供給するようにしたのが図１７の回路である。
【００４３】
  例えば、信号電流Ｉが０〜１０ｍＡの時にはプリチャージ電圧Ｖｐ１を与え、１０ｍＡ〜２０ｍＡの時はプリチャージ電圧Ｖｐ２を与え、２０ｍＡ〜３０ｍＡの時にはプリチャージ電圧Ｖｐ３を与えるように設計し、これらのプリチャージ電圧を与えるプリチャージ回路を端子Ａ、Ｂ、Ｃに接続するように構成しておく。そして、切り替え回路５０１を用いて信号電流Ｉの大きさに従ってＳＷ４乃至ＳＷ６を逐次切り替えて、ノードＰに供給するようにすれば良い。
【００４４】
  なお、前述したように、信号電流Ｉの大きさが変われば、最適なプリチャージ電圧（つまり、定常状態になったときのノードＰの電位）も変わる。したがって、例えば、１０ｍＡ〜２０ｍＡの時に与えるプリチャージ電圧Ｖｐ２の大きさは、信号電流Ｉが１０ｍＡの時に最適なプリチャージ電圧（定常状態になったときのノードＰの電位）と、信号電流Ｉが２０ｍＡの時に最適なプリチャージ電圧との間に属する大きさになっていることが望ましい。
【００４５】
  例えば、プリチャージ電圧Ｖｐ２の大きさは、１０ｍＡの時に最適なプリチャージ電圧と２０ｍＡの時に最適なプリチャージ電圧との中間値の電圧でも、１０ｍＡの時に最適なプリチャージ電圧でも、２０ｍＡの時に最適なプリチャージ電圧でもよい。ただし、１０ｍＡの時に最適なプリチャージ電圧と２０ｍＡの時に最適なプリチャージ電圧のいずれかをＶｐ２に適用する場合、信号電流の大きさが小さい方のプリチャージ電圧（この場合には１０ｍＡのときの最適なプリチャージ電圧）にすることが望ましい。なぜなら、大きさの大きい信号電流が入力されて、定常状態になっていて（大きい信号電流に最適なプリチャージ電圧になっていて）、その後、大きさの小さい信号電流を入力する場合よりも、大きさの小さい信号電流が入力されて、その後、大きさの大きい信号電流を入力する場合の方が、素早く定常状態にすることができるからである。つまり、２０ｍＡの時に最適なプリチャージ電圧でプリチャージするよりも、１０ｍＡの時に最適なプリチャージ電圧でプリチャージした方が、素早く定常状態にすることができる。それは、前述したように、２０ｍＡの時に最適なプリチャージ電圧でプリチャージした場合、トランジスタＴｒ１のゲート・ソース間電圧の絶対値は、定常状態になったときのゲート・ソース間電圧の絶対値よりも大きいからである。従って、プリチャージした後、トランジスタＴｒ１のゲート・ソース間電圧の絶対値は徐々に小さくなっていく。そのため、保持容量Ｃの電荷は、トランジスタＴｒ１を通って放電されにくくなる。従って、定常状態になるまでの時間が長くなる。よって、小さい信号電流に最適なプリチャージ電圧でプリチャージすることが望ましい。」
・・・
【００４８】
  なお、図１７は、図９、図１６で説明した構成の一部を、より詳しくした場合の一例を示している。したがって、図９、図１６で説明した内容は、図１７においても適用することができる。」
　
（ｅ）段落０１５１
「【０１５１】
  図１０〜図１４、図１８〜図２５などでは、信号線駆動回路２００ａなどから画素回路１００ａなどに電流を供給する場合、つまり、駆動対象回路１５０が画素回路１００ａなどにある場合について説明している。
  同様に、基準電流源３００から信号線駆動回路２００ａなどに電流を供給する場合、つまり、駆動対象回路１５０が信号線駆動回路２００ＡＲに配置されている場合にも、本発明を適用することができる。なお、動作や回路構成などは、図１〜図９、図１６〜図１７などと同様であるため、詳細な説明は省略する。
  本発明において、適用可能なトランジスタの種類に限定はなく、非晶質シリコンや多結晶シリコンに代表される非単結晶半導体膜を用いた薄膜トランジスタ（ＴＦＴ）、半導体基板やＳＯＩ基板を用いて形成されるＭＯＳ型トランジスタ、接合型トランジスタ、バイポーラトランジスタ、有機半導体やカーボンナノチューブを用いたトランジスタ、その他のトランジスタを適用することができる。また、トランジスタが配置されている基板の種類に限定はなく、単結晶半導体基板、ＳＯＩ基板、ガラス基板などに配置することが出来る。」
　
（２）引用例１に記載された発明（その１）
（ア）
　前記記載（ａ）より、 
「画像情報を信号電流として伝送する信号線と、前記信号電流に比例する駆動電流を電源線から供給する第１の駆動素子とを含む画素回路と、
  前記信号電流を前記信号線に供給する画像信号入力電流源を含むソースドライバ回路とを具備した表示装置において、
  前記信号電流を前記信号線に供給するに先立って、
前記信号線をプリチャージするプリチャージ回路を前記ソースドライバ回路に内蔵した表示装置」であることが読み取れる。
　
（イ）
　前記記載（ｄ）段落００４２より、
「プリチャージ電圧Ｖｐを、信号電流Ｉの大きさに応じて複数設定して選択的に供給する」ことが読み取れる。
　
（ウ）
　前記記載（ｄ）段落００４３ないし００４５の、「信号電流Ｉが０〜１０ｍＡの時にはプリチャージ電圧Ｖｐ１を与え、１０ｍＡ〜２０ｍＡの時はプリチャージ電圧Ｖｐ２を与え、２０ｍＡ〜３０ｍＡの時にはプリチャージ電圧Ｖｐ３を与えるように設計し、・・・プリチャージ電圧Ｖｐ２の大きさは、１０ｍＡの時に最適なプリチャージ電圧と２０ｍＡの時に最適なプリチャージ電圧のいずれかをＶｐ２に適用する場合、信号電流の大きさが小さい方のプリチャージ電圧（この場合には１０ｍＡのときの最適なプリチャージ電圧）にすることが望ましい。」との記載から、「プリチャージ電圧Ｖｐは、信号電流Ｉの大きさによって選択される範囲の中で最小に設定される」ことが読み取れる。
　
　上記（ア）ないし（ウ）及び図１７に示された事項を総合勘案すると、引用例１には、実施例１に関し、次の発明が記載されているものと認められる。　
「画像情報を信号電流として伝送する信号線と、前記信号電流に比例する駆動電流を電源線から供給する第１の駆動素子とを含む画素回路と、
  前記信号電流を前記信号線に供給する画像信号入力電流源を含むソースドライバ回路とを具備した表示装置において、
  前記信号電流を前記信号線に供給するに先立って、
前記信号線をプリチャージするプリチャージ回路を前記ソースドライバ回路に内蔵したものであって、
プリチャージ電圧Ｖｐを、信号電流Ｉの大きさに応じて複数設定して選択的に供給するものであり、前記プリチャージ電圧Ｖｐは、信号電流Ｉの大きさによってによって選択される範囲の中で最小に設定される表示装置。」
（以下、「引用発明１」という。）
　
（３）引用例１に記載された発明（その２）
（ア）
　前記記載（ｃ）段落００４１より、
「プリチャージ電圧を供給した後に別のプリチャージを行い、その後、信号電流を供給」することが読み取れる。
　
（イ）
　前記記載（ｃ）段落００３７の「最も望ましいのは、プリチャージ電圧を定常状態になった時のノードＰの電位と同電位にすることである。その場合は、プリチャージが終了すれば、それと同時に定常状態となるからである。」の記載から、「プリチャージが終了時に、定常状態の電位と同電位に」することが読み取れる。
　
　上記（ア）、（イ）及び図９、１６に示された事項を総合勘案すると、引用例１には、プリチャージに関する次の発明が記載されているものと認められる。
　
「プリチャージ電圧を供給した後に別のプリチャージを行い、プリチャージが終了時に、定常状態の電位と同電位にし、その後、信号電流を供給すること。」
（以下、「引用発明２」という。）
　
５．対比 
　本願発明と引用発明１とを対比すると、以下のとおりである。
（１）
　引用発明１における「画素回路」は、基板上に位置し（前記「４．（１）（ｅ）」参照。）、画素（ピクセル）を含むから、引用発明１における「画素回路」と、本願発明における「基板上に位置し、複数個のサブピクセルを含むピクセル部」とは、共に「基板上に位置するピクセル部」である点で共通している。
　
（２）
　引用発明１における「画像情報」は、本願発明における「データ信号」に相当する。
　
（３）
　本願発明において、データ駆動部がピクセル部に供給するのは、具体的には、ディジタル信号であるデータ信号をアナログ信号である電流に変換されたものであるから（段落００２８参照）、ピクセル部にデータ信号を供給するとは、データ信号に対応する電流を供給することを意味するものである。これを踏まえると、「画像情報を信号電流として伝送」する引用発明１において、「前記信号電流を前記信号線に供給するソースドライバ回路」は、本願発明における「データ信号・・・を前記ピクセル部に供給するデータ駆動部」に相当するといえる。
　
（４）
　引用発明１において、「プリチャージする」ことは、「前記信号電流を前記信号線に供給するに先立って」行われるチャージを意味しており、本願発明において、第１、２チャージ信号の供給は、データ信号の供給の前に行われるものであり、いわゆるプリチャージすることといえるから、引用発明１も本願発明も共にプリチャージをする点で共通している。
　
（５）
　本願発明における「前記チャージ値より小さく、前記複数の電圧値に最も近い第１電圧値から選択された第１チャージ信号」は、段落００１８、００２５の記載を参酌すると、「前記チャージ値より小さく、前記チャージ値と最も近い第１電圧値」を選択して「第１チャージ信号」としたものを指すと認められる。
　一方、引用発明１は、前記信号線をプリチャージするプリチャージ回路を前記ソースドライバ回路に内蔵し、信号電流Ｉの大きさによって選択される範囲の中で最小に設定されたプリチャージ電圧Ｖｐを供給している。ここで、信号電流Ｉの大きさによって選択される範囲の中で最小に設定されたプリチャージ電圧Ｖｐとは、定常状態での電位（本願発明における「データ信号に対応するチャージ値」に相当。）と比べて小さいものであって、複数設定されたプリチャージ電圧の中で、定常状態での電位に最も近いものであるから、引用発明１における「プリチャージ電圧Ｖｐ」は、本願発明における「第１チャージ信号」に相当する。
　してみると、引用発明１における「プリチャージ電圧Ｖｐを、信号電流Ｉの大きさに応じて複数設定して選択的に供給するものであり、前記プリチャージ電圧Ｖｐは、信号電流Ｉの大きさによってによって選択される範囲の中で最小に設定され」たプリチャージ回路を内蔵する「ソースドライバ回路」は、本願発明における「前記チャージ値より小さく、前記複数の電圧値に最も近い第１電圧値から選択された第１チャージ信号・・・を前記ピクセル部に供給するデータ駆動部」にも相当するといえる。
　
（６）
　引用発明１において、「前記信号電流を前記信号線に供給するに先立って、前記信号線をプリチャージする」ことは、プリチャージした後に画像情報の信号電流を供給することを意味しており、引用発明１においてプリチャージとして供給される「プリチャージ電圧Ｖｐ」は、本願発明における「第１チャージ信号」に相当する（前記（５）参照。）こと、及び前記（３）の事項を踏まえると、引用発明１における「前記信号電流を前記信号線に供給するに先立って、前記信号線をプリチャージする」ことと、本願発明における「前記第１チャージ信号、前記第２チャージ信号、及び前記データ信号は、前記ピクセル部に順次供給されること」とは、共に、「前記第１チャージ信号、及び前記データ信号は、前記ピクセル部に順次供給される」点で共通している。
　
（７）
　してみると、両者の一致点、相違点は、以下のとおりである。
 （一致点） 
 「基板と、
前記基板上に位置するピクセル部と、
データ信号、前記データ信号に対応するチャージ値より小さく、前記複数の電圧値に最も近い第１電圧値から選択された第１チャージ信号を前記ピクセル部に供給するデータ駆動部と、を含み、
前記第１チャージ信号、及び前記データ信号は、前記ピクセル部に順次供給されることを特徴とする平板表示装置。」
　
（相違点１）
　本願発明においては、「予め設定された複数の電圧値から前記データ信号に対応するチャージ値を決定後、」プリチャージ電圧を設定するのに対し、引用発明１においては、そのようにしているか明らかでない点。
　
（相違点２）
　本願発明においては、「前記チャージ値と前記第１電圧値の差に対応する第２電圧値に設定された第２チャージ信号」を設け、「前記第１チャージ信号、前記第２チャージ信号、及び前記データ信号は、前記ピクセル部に順次供給される」のに対し、引用発明１においては、そのようにされるか明らかでない点。
　
(相違点３）
　本願発明における「ピクセル部」は、複数個のサブピクセルを含むのに対し、引用発明１における「画素回路」は、複数個のサブピクセルを含むのか明らかでない点。
　
６．当審の判断
　上記相違点１，２について検討する。
　
（１）相違点１について
　引用発明１のような表示装置において、「予め設定された複数の電圧値から前記データ信号に対応するチャージ値を決定」することは、本願優先日前に周知であり（例えば、特開２００５−３４０９１９号公報段落００３２、図５には、階調データｄ１（本願発明におけるデータ信号に相当する。）に対応するアナログ電圧信号Ｓｖ（本願発明におけるチャージ値に相当する。）を基準電圧Ｖｒｅｆ０、Ｖｒｅｆ１、・・・Ｖｒｅｆ６３から選択して出力することが記載されている。）、引用発明１において、プリチャージ電圧は、定常状態での電位（本願発明における「データ信号に対応するチャージ値」に相当。）と対応関係にある信号電流Ｉの大きさによって選択され設定されるものであるから、本願発明のように「予め設定された複数の電圧値から前記データ信号に対応するチャージ値を決定後、」プリチャージ電圧を設定するようにすることは、当業者が容易に想到し得ることである。
　
（２）相違点２について
　引用例１には、「プリチャージ電圧を供給した後に別のプリチャージを行い、プリチャージが終了時に、定常状態の電位と同電位にし、その後、信号電流を供給する」という引用発明２が記載されている。そして、この引用発明２は、引用例１の段落００４８の記載によれば、引用発明１に対応する図１７においても適用することができるとされている。
　そこで、引用発明１に引用発明２を適用すると、プリチャージ電圧Ｖｐを供給した後に別のプリチャージを行い、プリチャージが終了時に、定常状態の電位と同電位にし、その後、信号電流を供給することになる。
　ここで、「定常状態の電位と同電位」とは、本願発明における「データ信号に対応するチャージ値」に相当するものであり、「別のプリチャージ」は、プリチャージ電圧Ｖｐから定常状態の電位と同電位にするためのプリチャージであるから、引用発明１に引用発明２を適用した際に、別のプリチャージを、本願発明の「前記チャージ値と前記第１電圧値の差に対応する第２電圧値に設定された第２チャージ信号」とすることに困難性は見出せない。
　よって、引用発明１に引用発明２を適用し、本願発明のように、「前記チャージ値と前記第１電圧値の差に対応する第２電圧値に設定された第２チャージ信号」を設け、「前記第１チャージ信号、前記第２チャージ信号、及び前記データ信号は、前記ピクセル部に順次供給される」ようにすることは、当業者が容易に想到し得ることである。
　
（３）相違点３について
　ピクセルを複数個のサブピクセルで構成することは、例を挙げるまでもなく、本願優先日前に周知の技術であるから、引用発明１における画素回路の画素（ピクセル）を、複数個のサブピクセルで構成することは、当業者が容易に想到し得ることである。
　
７．むすび
　以上のとおり、本願発明は、引用例１に記載された引用発明１及び引用発明２、並びに周知技術に基づいて当業者が容易に発明をすることができたものであるから、特許法第２９条第２項の規定により特許を受けることができない。
　したがって、本願の他の請求項に係る発明について審理するまでもなく、本願は拒絶すべきものである。
　よって、結論のとおり審決する。